(57)【要約】【課題】シートがシート搬送ローラ対を抜ける際のシート搬送速度の変動を抑制することのできる画像形成装置を提供する。【解決手段】画像形成部にシートを搬送するレジストローラ対１２を、レジストローラ軸３１に固着され、弾性体により形成された第１及び第２レジストローラゴム３３ａ，３３ｂ、第３〜第６レジストローラゴム３２ａ〜３２ｄを備えたレジストローラ３２と、レジストローラ３２のレジストローラゴム３３ａ，３３ｂ，３２ａ〜３２ｄに圧接する第１〜第６コロ４０ａ〜４０ｆを備えたレジストコロ４０とにより形成する。そして、レジストローラ３２のレジストローラゴム３３ａ，３３ｂ，３２ａ〜３２ｄとレジストコロ４０の第１〜第６コロ４０ａ〜４０ｆとの圧接部の、シート搬送方向の長さ異なるようにすることにより、シート搬送ローラ対を通過する際、シートに加わる加速度の大きさが小さくなるようにする。【選択図】図２
2010275080.tif 000002
【特許請求の範囲】
【請求項１】
画像形成部にシートを搬送するシート搬送ローラ対を備えた画像形成装置において、
前記シート搬送ローラ対は、
軸方向に複数のローラ部を備えた駆動ローラと、
前記複数のローラ部のそれぞれに圧接する複数の従動ローラ部を軸方向に備えた従動ローラと、を具備し、
前記複数のローラ部と前記複数の従動ローラ部とで複数のローラ対を構成し、前記ローラ部と前記従動ローラ部との圧接部のシート搬送方向に沿った長さを、前記複数のローラ対の間で異なるように構成したことを特徴とする画像形成装置。
【請求項２】
前記駆動ローラの前記ローラ部を弾性体により構成し、前記ローラ部に前記従動ローラ部が圧接することによって前記圧接部が形成され、
前記駆動ローラは、前記ローラ部を支持するローラ軸におけるシートのシート搬送方向と直交する幅方向の中心に対して対称に配置された第１ローラ部及び前記第１ローラ部の軸方向両側に配置された第２ローラ部を備え、
前記従動ローラは、前記第１ローラ部と圧接する第１従動ローラ部及び前記第２ローラ部と圧接する第２従動ローラ部を備え、
前記第１ローラ部と前記第１従動ローラ部との圧接部のシート搬送方向に沿った長さが、前記第２ローラ部と前記第２従動ローラ部との圧接部のシート搬送方向に沿った長さよりも長くなるようにしたことを特徴とする請求項１記載の画像形成装置。
【請求項３】
前記第１ローラ部の外径を前記第２ローラ部の外径よりも大きくし、前記第１ローラ部の硬度を前記第２ローラ部の硬度より小さくしたことを特徴とする請求項２記載の画像形成装置。
【請求項４】
前記第１ローラ部の硬度を前記第２ローラ部の硬度より小さくし、前記第１従動ローラ部の外径を前記第２従動ローラ部の外径より大きくしたことを特徴とする請求項２記載の画像形成装置。
【請求項５】
シート搬送方向と逆方向に付勢手段により付勢され、前記シート搬送ローラ対に向かうシートに前記シート搬送ローラ対のシート搬送方向上流で当接してシートの斜行を補正し、斜行が補正されたシートにより押圧されて前記付勢手段の付勢力に抗しながら揺動する斜行補正部材を備えていることを特徴とする請求項１ないし４のいずれか１項に記載の画像形成装置。
【発明の詳細な説明】
【技術分野】
【０００１】
本発明は、画像形成装置に関し、特にシート搬送部に設けられるシート搬送ローラ対の構成に関する。
【背景技術】
【０００２】
従来、プリンタ、複写機、ファクシミリ等の画像形成装置では、一般的に、画像形成部に搬送するシートの斜行を補正したり、画像形成部で形成された画像とシートとの位置とを合わせたりするためのレジスト部が備えられている。このようなレジスト部としては、レジストローラ対により、シートの斜行を補正すると共に、画像形成部で形成された画像とシートとの位置とを合わせを行うようにしたものがある（特許文献１参照）。そして、このようなレジストローラ対を備えたレジスト部においては、まず停止させているレジストローラ対のニップ部に、上流側の搬送ローラ対により搬送されるシートの先端を突き当てる。これにより、シート先端がレジストローラ対のニップ線に沿うようになり、シートの斜行が補正される。次に、レジストローラ対の回転を開始するタイミングを調整することにより、画像形成部で形成された画像とシートとの位置合わせを行う。
【先行技術文献】
【特許文献】
【０００３】
【特許文献１】特開昭６１−２３９２３号公報
【発明の概要】
【発明が解決しようとする課題】
【０００４】
ところで、このようなレジスト部を備えた従来の画像形成装置において、斜行が補正されたシートは、レジストローラ対の回転により画像形成部に搬送されるが、この際、シートの後端は、まず上流側の搬送ローラ対のニップを抜ける。この後、レジストローラ対のニップを抜ける。ここで、シート後端がシート搬送ローラ対である搬送ローラ対やレジストローラ対のニップを抜ける際、シートに加速度が生じ、これに伴いシートの搬送速度の変動が生じる。なお、特に厚紙等の厚みやコシのあるシートの場合、シートを、すべることなく安定して搬送するためには、強い搬送ニップによる搬送力が必要であるが、搬送ニップの強さが大きくなればなるほど、ニップ抜け時の衝撃も大きくなる。そして、このようなシート搬送速度の変動により、画像形成部においてシートに形成される画像のズレ等を起こすおそれがある。
【０００５】
そこで、本発明は、このような現状に鑑みてなされたものであり、シートがシート搬送ローラ対を抜ける際のシート搬送速度の変動を抑制することのできる画像形成装置を提供することを目的とするものである。
【課題を解決するための手段】
【０００６】
本発明は、画像形成部にシートを搬送するシート搬送ローラ対を備えた画像形成装置において、前記シート搬送ローラ対は、軸方向に複数のローラ部を備えた駆動ローラと、前記複数のローラ部のそれぞれに圧接する複数の従動ローラ部を軸方向に備えた従動ローラと、を具備し、前記複数のローラ部と前記複数の従動ローラ部とで複数のローラ対を構成し、前記ローラ部と前記従動ローラ部との圧接部のシート搬送方向に沿った長さを、前記複数のローラ対の間で異なるように構成したことを特徴とするものである。
【発明の効果】
【０００７】
本発明のように、シート搬送ローラ対を通過する際、シートに加わる加速度の大きさが小さくなるようにすることにより、シートがシート搬送ローラ対を抜ける際のシート搬送速度の変動を抑制することができる。
【図面の簡単な説明】
【０００８】
【図１】本発明の第１の実施の形態に係る画像形成装置の一例であるレーザビームプリンタの概略構成を示す図。
【図２】上記レーザビームプリンタに設けられたレジスト部を構成するレジストローラ対の斜視図。
【図３】上記レーザビームプリンタに設けられたレジストローラ対及び搬送ローラの構成を説明する図。
【図４】上記レジストローラ対及び搬送ローラによるシート搬送動作を説明する図。
【図５】シートの後端が、上記レジストローラ対の端部側を抜けた状態を示す図。
【図６】シートの後端が、上記レジストローラ対の中央側を抜けた状態を示す図。
【図７】本発明の第２の実施の形態に係る画像形成装置に設けられたレジスト部を構成するレジストローラ対の斜視図。
【図８】シートの後端が、上記レジストローラ対の端部側を抜けた状態を示す図。
【図９】シートの後端が、上記レジストローラ対の中央側を抜けた状態を示す図。
【発明を実施するための形態】
【０００９】
以下、本発明を実施するための形態について図面を用いて詳細に説明する。図１は、本発明の第１の実施の形態に係る画像形成装置の一例であるレーザビームプリンタの概略構成を示す図であり、図１において、１はレーザプリンタ、１Ａはプリンタ本体、１Ｂは画像形成部である。このレーザプリンタ１においては、不図示のパーソナルコンピュータやワードプロセッサ等の外部情報機器から情報が送信されると、まずこの情報に基づいてビデオコントローラボード４が画像信号を作成する。この後、ビデオコントローラボード４で作成された画像信号に応じたレーザ光Ｌをレーザスキャナ５が時計方向に回転している感光体ドラム６Ａ上に照射する。これにより、感光体ドラム６Ａ上に静電潜像が形成される。
【００１０】
なお、図１において、６は感光体ドラム６Ａを備えたプロセスユニットである。このプロセスユニット６は、感光体ドラム６Ａの他、感光体ドラム表面を所定の極性・電位に一様に帯電する不図示の帯電器、不図示のトナー現像器、不図示のクリーニング器等を備えている。次に、このように感光体ドラム６Ａ上に静電潜像を形成した後、この静電潜像を、プロセスユニット６内の不図示の現像器から供給されるトナーによって順次トナー像として顕画化する。この後、このトナー像を感光体ドラム６Ａと転写ローラ７とにより構成される転写部７Ａへ搬送する。
【００１１】
一方、このようなトナー像形成動作に並行して給紙カセット８内に積載収納されているシートＳの最上位のシートを反時計方向に１回転する半月状の給紙ローラ９によって順次給紙パス１０へ送り出す。この後、搬送ローラ１１により、回転停止中のレジストローラ対１２に搬送する。ここで、このようにレジストローラ対１２に到達したシートＳは、先端がレジストローラ対１２のニップに突き当たった後、搬送ローラ１１により、所定のループを形成するまで搬送が続けられることによって斜行補正がなされる。そして、このように斜行補正を終えたシートＳは、感光体ドラム上のトナー像と位置を合わせるタイミングをとって回転を開始するレジストローラ対１２によって転写部７Ａへ搬送される。この後、この転写部７Ａにおいて、転写ローラ７により感光体ドラム６Ａ上のトナー像がシート面上に転写される。次に、このようにトナー像の転写を終えたシートＳは搬送ガイド１３上を通って定着装置１４へ搬送され、この定着装置１４において加熱及び加圧されることにより、転写されたトナー像がシート上に定着される。
【００１２】
なお、トナー像の定着処理を終えたシートＳは、印字面を下向きに積載（フェイスダウン積載）する場合には、搬送面１６とこれに対向するフェイスアップトレイ２２によって形成される搬送路に進入する。そして、この後、不図示の駆動源を備えたフェイスダウン排紙ローラ１９と、フェイスダウン排紙ローラ１９と圧接して従動する従動コロ２５とによってプリンタ本体１Ａの上部のフェイスダウン排紙トレイ１７上へ排紙される。また、印字面を上向きに積載（フェイスダウン積載）する場合は、予めフェイスアップトレイ２２を回動中心２３を支点とし矢印Ａのように開く。そして、不図示の駆動源を備えたフェイスアップローラ１８と、フェイスアップローラ１８と圧接して従動するコロ１５によって、フェイスアップトレイ２２上にシートの印字面を上向きに排出する。
【００１３】
図２は、本実施の形態に係るシート搬送部であるレジスト部を構成するレジストローラ対１２の斜視図である。図２に示すように、シート搬送ローラであるレジストローラ対１２は、駆動ローラであるレジストローラ３２と、従動ローラ部であるレジストコロ４０により、構成されている。レジストローラ３２は、レジストローラ軸３１の中央部に固着された第１ローラ部である第１及び第２レジストローラゴム３３ａ，３３ｂを備えている。なお、このゴム（弾性体）により形成された第１及び第２レジストローラゴム３３ａ，３３ｂは、レジストローラ軸３１の軸方向中央部にシートのシート搬送方向と直交する幅方向の中心に対して対称に配置（支持）されている。また、レジストローラ３２は、第１及び第２レジストローラゴム３３ａ，３３ｂの軸方向両側にそれぞれ２個（複数）ずつ配された第２ローラ部である４つの第３〜第６レジストローラゴム３２ａ〜３２ｄを備えている。そして、この第３〜第６レジストローラゴム３２ａ〜３２ｄは、第１及び第２レジストローラゴム３３ａ，３３ｂとは異なる形状を有している。なお、レジストローラ軸３１は、左軸受け３４及び右軸受け３６を介してプリンタ本体内に設けられた左側板３５及び右側板３７に回転自在に保持されると共に、一端には不図示の駆動源より駆動力を伝達されるレジストローラギア３８がとりつけられている。
【００１４】
レジストコロ４０は、コロ軸３９に回転可能に支持されている複数の従動ローラ部である筒状形状の第１〜第６コロ４０ａ〜４０ｆを備えている。なお、コロ軸３９は、左コロ軸受け４１及び右コロ軸受け４２を介して左側板３５及びに右側板３７に、上下方向に移動可能に保持されると共に、左コロ軸受け４１及び右コロ軸受け４２を介して左右のバネ４３，４４により、レジストローラ側に付勢されている。これにより、第２従動ローラ部である第１、第２、第５及び第６コロ４０ａ，４０ｂ，４０ｅ，４０ｆが第３〜第６レジストローラゴム３２ａ〜３２ｄに圧接する。また、第１従動ローラ部である第３及び第４コロ４０ｃ，４０ｄが第１及び第２レジストローラゴム３３ａ，３３ｂと圧接する。そして、レジストローラ３２の回転に伴い、レジストコロ４０が従動回転する。
【００１５】
なお、レジストローラ３２は、感光ドラム６Ａと転写ローラ７とにより構成される転写部７Ａへシートを送り出すためのローラである。このため、ローラ径のバラつきによる送り速度差や、左右の速度変動による斜行に加え、シートのカール、凹凸、うねり、厚み等の違いによる必要搬送力の差に影響されずに、一定のシート搬送速度でシートを搬送できるように構成する必要がある。そこで、本実施の形態においては、レジストローラ３２のローラ硬度（ローラゴム硬度）を８０°〜９０°程度の高めとし、外径研磨時のローラ径のバラつきを抑えるようにしている。また、左右のバネ４３，４４のバネ圧を０．１Ｎから０．１５Ｎと高めに設定することにより搬送を安定させ、シート搬送速度の変動による画像の外れを防止している。
【００１６】
コロ軸３９には斜行補正部材であるレジシャッタ４５が回動可能に保持されており、このレジシャッタ４５は、突き当て面４８（４８ａ〜４８ｄ）をそれぞれ備えた、レジ整合部材４７（４７ａ〜４７ｄ）が取り付けられている。そして、このレジシャッタ４５は、シャッタバネ４６により、図３に示すように突き当て面４８が、レジストローラ３２及びレジストコロ４０のニップよりもシート搬送方向上流側に一定のバネ圧で突出するように付勢保持されている。これにより、レジストローラ対１２に向かう際、シートはシート搬送方向と逆方向に付勢されたレジシャッタ４５に、レジストローラ対１２のシート搬送方向上流で当接して斜行が補正される。そして、この後、レジシャッタ４５は斜行が補正されたシートにより押圧されて付勢力に抗しながら揺動する。
【００１７】
なお、図３で示すように、搬送ローラ対１１は、不図示の駆動源により駆動を伝達されて矢印方向に回転する搬送ローラ４９と、バネ５１により搬送ローラ４９に圧接して従動回転する搬送コロ５２を備えている。そして、この搬送ローラ対１１により、シートＳをレジストローラ対１２に向けて搬送する。なお、搬送ローラ対１１により搬送されたシートＳは、この後、搬送ガイド５３〜５５により案内されて先端がレジシャッタ４５の突き当て面４８に突き当たり、先端がレジシャッタ４５の突き当て面４８に倣うようになる。これにより、シートＳが傾いた状態で搬送されていた場合でも、シートＳの斜行が補正される。
【００１８】
そして、シートＳは、先端がレジシャッタ４５の突き当て面４８に倣うようになった後も、さらに搬送ローラ対１１により搬送される。やがてシートＳは、図４の（ａ）に示すように、バネ５１のバネ力に打ち勝ってレジシャッタ４５を時計周りに回動させて、レジシャッタ４５の突き当て面４８に倣わされた状態で、回転中のレジストローラ３２と、レジストコロ４０のニップに送り込まれる。次に、レジストローラ３２とコロ４０のニップに入り込んだシートＳは、レジストローラ３２により、転写上ガイド５６及び下ガイド５７によりガイドされながら図４の（ｂ）に示すように、感光ドラム６Ａと転写ローラ７により構成される転写部７Ａに搬送される。ここで、時計方向に回転している感光ドラム６Ａは、レーザ光Ｌ１が照射されている照射部５８において随時、潜像が形成されている。そして、この潜像を現像した後、転写部７ＡにおいてシートＳにトナー像が転写される。
【００１９】
図５は、シートＳが転写部に到達した後、シートＳの後端が、レジストローラ３２とレジストコロ４０のニップを抜けた状態を示している。図５において、レジストローラ３２は、反時計方向に回転しており、これに圧接するレジストコロ４０は、時計方向に従動回転している。シャッタ４５は、シートＳの搬送により、時計方向に押し上げられた状態になっている。なお、図５において、Ｘ１は、レジストローラ３２の第３〜第６レジストローラゴム３２ａ〜３２ｄと第１、第２、第５及び第６レジストコロ４０ａ，４０ｂ，４０ｅ，４０ｆとの圧接部であるニップのシート搬送方向の幅（長さ）であるニップ幅である。つまり、Ｘ１は第３〜第６レジストローラゴム３２ａ〜３２ｄと第１、第２、第５及び第６レジストコロ４０ａ，４０ｂ，４０ｅ，４０ｆとが圧接することで形成される複数のローラ対の圧接部のニップ幅である。６０はシートＳのニップ抜位置、Ｙ１は第３〜第６レジストローラゴム３２ａ〜３２ｄの外径である。また、第３〜第６レジストローラゴム３２ａ〜３２ｄは、搬送の安定を図るように硬質系のゴムにより形成されており、その硬度Ｚ１は８０°〜９０°程度に設定されている。
【００２０】
一方、図６はレジストローラ３２の中央部に位置する第１及び第２レジストローラゴム３３ａ，３３ｂと第３及び第４レジストコロ４０ｃ，４０ｄとのニップを抜けるときの状態を示す図である。なお、図５において、Ｘ２は第１及び第２レジストローラゴム３３ａ，３３ｂと第３及び第４レジストコロ４０ｃ，４０ｄのシート搬送方向のニップ幅である。つまり、Ｘ２は第１及び第２レジストローラゴム３３ａ，３３ｂと第３及び第４レジストコロ４０ｃ，４０ｄとで構成される複数のローラ対のニップ幅である。６１はシートＳのニップ抜位置、Ｙ２は第１及び第２レジストローラゴム３３ａ，３３ｂの外径である。なお、本実施の形態において、この第１及び第２レジストローラゴム３３ａ，３３ｂは、小硬度のゴムより形成されており、その硬度Ｚ２は４０°〜６０°程度に設定されている。
【００２１】
ここで、本実施の形態において、第３〜第６レジストローラゴム３２ａ〜３２ｄと、第１及び第２レジストローラゴム３３ａ，３３ｂの外径Ｙ１，Ｙ２及び硬度Ｚ１，Ｚ２は、Ｙ１＜Ｙ２、Ｚ１＞Ｚ２となるように設定している。この結果、第３〜第６レジストローラゴム３２ａ〜３２ｄとレジストコロ４０ａ，４０ｂ，４０ｅ，４０ｆのニップ幅Ｘ１と、第１及び第２レジストローラゴム３３ａ，３３ｂとレジストコロ４０ｃ，４０ｄのニップ幅Ｘ２との関係は、Ｘ１＜Ｘ２となる。
【００２２】
ところで、レジストローラ３２とレジストコロ４０のニップを抜けた瞬間、既述したように搬送速度差や、シートの厚さ等により、シートに加速度が生じ、照射部５８（図４の（ｂ）参照）での潜像ピッチズレや、転写部７Ａでの転写ブレが発生する場合ある。しかし、このようにＸ１＜Ｘ２とすることにより、図５に示すようにシートＳの後端両端部がニップＸ１を抜けるとき、後端中央部においては、第１及び第２レジストローラゴム３３ａ，３３ｂとレジストコロ４０ｃ，４０ｄによってニップされたままの状態となる。この後、レジストローラ３２の回転により、シートは、中央側の第１及び第２レジストローラゴム３３ａ，３３ｂとレジストコロ４０ｃ，４０ｄのニップを抜ける。
【００２３】
このとき、第１及び第２レジストローラゴム３３ａ，３３ｂは、硬度が小硬度に設定されているため、シートのニップ抜け時のシート速度の変動が小さくなる。このため、高硬度のローラゴムを備えるレジストローラ３２とレジストコロ４０において発生しやすい、ニップ抜け時のシートのシート速度変動（加速度）を緩和することができる。そして、このようにシートのレジストローラのニップ抜けによる搬送速度変動を緩和することによりし、感光ドラムの速度変動を抑え、画像のピッチブレを軽減することができる。
【００２４】
以上説明したように、シート搬送方向のニップ幅をＸ１＜Ｘ２とすることにより、レジストローラ対１２を通過する際、シートに加わる加速度の大きさが小さくすることができる。これにより、シートがシート搬送ローラ対を抜ける際のシート搬送速度の変動を抑制することができる。なお、本実施の形態においては、シートの幅方向に対して中央部に配置された第１及び第２レジストローラゴム３３ａ，３３ｂを、既述したように大径及び小硬度としている。これにより、シートの幅に対し、レジストローラゴム３２によってニップする個数（領域）がシート幅により変わるようになり、レジストローラゴム３３によるニップは常に形成される範囲のシート幅に上記効果が得られるようにすることができる。このため、通常使われる、はがきから、Ａ４、ＬＴＲ等のサイズまで、対応が可能となる。
【００２５】
次に、本発明の第２の実施の形態について説明する。図７は、本実施の形態に係る画像形成装置のレジスト部を構成するレジストローラ対の斜視図である。なお、図７において、既述した図２と同一符号は、同一又は相当部分を示している。図７において、６２ａ、６２ｂはレジストローラ３２の、レジストローラ軸３１の中央部に固着された第１及び第２レジストローラゴムである。６３ａ、６３ｂは、レジストコロ４０の、コロ軸３９に回転可能に保持されている筒状形状の第３及び第４コロであり、この第３及び第４コロ６３ａ，６３ｂは、第１及び第２レジストローラゴム６２ａ，６２ｂに圧接している。
【００２６】
図８は、シートが転写部に到達した後、シートＳの後端が、レジストローラ３２とレジストコロ４０のニップを抜けた状態を示している。図８において、レジストローラ３２は、反時計方向に回転しており、これに圧接するレジストコロ４０は、時計方向に従動回転している。また、レジシャッタ４５は、シートＳの搬送により、時計方向に押し上げられた状態になっている。なお、図８において、Ｘ３は、レジストローラ３２の第３〜第６レジストローラゴム３２ａ〜３２ｄと第１、第２、第５及び第６レジストコロ４０ａ，４０ｂ，４０ｅ，４０ｆによるシート搬送方向のニップ幅、６４はシートＳのニップ抜位置である。Ｋ１は第１、第２、第５及び第６レジストコロ４０ａ，４０ｂ，４０ｅ，４０ｆの外径である。また、第３〜第６レジストローラゴム３２ａ〜３２ｄは、搬送の安定を図るように硬質系のゴムにより形成されており、その硬度Ｚ１は８０°〜９０°程度に設定されている。
【００２７】
図９はレジストローラ３２の中央部に位置する第１及び第２レジストローラゴム６２ａ，６２ｂと、第３及び第４コロ６３ａ，６３ｂとのニップを抜けるときの状態を示す図である。なお、図９において、Ｘ４は第１及び第２レジストローラゴム６２ａ，６２ｂと第３及び第４コロ６３ａ，６３ｂとのシート搬送方向のニップ幅、６５はシートＳのニップ抜位置、Ｋ２は第３及び第４コロ６３ａ，６３ｂの外径である。また、第１及び第２レジストローラゴム６２ａ，６２ｂは、小硬度のゴムより形成されており、その硬度Ｚ２は４０°〜６０°程度に設定されている。
【００２８】
ここで、本実施の形態において、第１、第２、第５及び第６レジストコロ４０ａ，４０ｂ，４０ｅ，４０ｆ及び第３及び第４コロ６３ａ，６３ｂの外径Ｋ１，Ｋ２はＫ１＜Ｋ２となるように設定している。また、第３〜第６レジストローラゴム３２ａ〜３２ｄ及び第１及び第２レジストローラゴム６２ａ，６２ｂの硬度Ｚ１，Ｚ２は、Ｚ１＞Ｚ２となるように設定している。結果、第３〜第６レジストローラゴム３２ａ〜３２ｄとレジストコロ４０ａ，４０ｂ，４０ｅ，４０ｆのニップ幅Ｘ３と、第１及び第２レジストローラゴム６２ａ，６２ｂと第３及び第４レジストコロ６３ａ，６３ｂのニップ幅Ｘ４との関係は、Ｘ３＜Ｘ４となる。
【００２９】
このようにＸ３＜Ｘ４とすることにより、図８に示すようにシートＳの後端両端部がニップＸ３を抜けるとき、後端中央部においては、第１及び第２レジストローラゴム６２ａ，６２ｂとレジストコロ６３ａ，６３ｂによってニップされたままの状態となる。この後、レジストローラ３２の回転により、シートは、ニップ抜け位置６５で、中央側の第１及び第２レジストローラゴム６２ａ，６２ｂとレジストコロ６３ａ，６３ｂのニップを抜ける。そのため、高硬度のゴムローラからなるレジストローラ３２とレジストコロ４０のニップにおいて、発生しやすいニップ抜け時のシートと速度変動（加速度）を緩和することができる。
【００３０】
このとき、第１及び第２レジストローラゴム６２ａ，６２ｂは、硬度が小硬度に設定されているため、シートのニップ抜け時のシート速度の変動が小さくなる。このため、高硬度のローラゴムを備えるレジストローラ３２とレジストコロ４０において発生しやすい、ニップ抜け時のシートのシート速度変動（加速度）を緩和することができる。そして、このようにシートのレジストローラのニップ抜けによる搬送速度変動を緩和することによりし、感光ドラムの速度変動を抑え、画像のピッチブレを軽減することができる。
【００３１】
なお、本実施の形態によれば、第１及び第２レジストローラゴム６２ａ，６２ｂと第３〜第６レジストローラゴム３２ａ〜３２ｄとは、硬度と幅形状は異なるが、外径を略同一に設定が可能である。このため、ゴムローラを製造する上で、外径を形成する際の研磨工程が容易になる。また、本実施の形態においては、既述した第１の実施の形態と同様に、第１及び第２レジストローラゴム６２ａ，６２ｂをレジストローラ軸３１の、軸方向中央部に配置している。これにより、シートの幅に対し、レジストローラ３２によってニップする個数（領域）がシート幅により変わるだけとし、レジストローラゴム６２によるニップが常に形成される範囲のシート幅に上記効果が得られるようにすることができる。そのため、通常使われる、はがきから、Ａ４、ＬＴＲ等のサイズまで、対応が可能となる。
【００３２】
また、これまでの説明においては、シート搬送部としてレジストローラ対を例にして説明したが、本発明は、これに限らない。例えば、本発明を、レジストローラ対のシート搬送方向上流に位置する、搬送ローラ対１１に適用しても良い。これにより、レジストローラ対１２から搬送ローラ対１１の間で生じる、搬送ローラニップ抜け時の搬送速度ムラを緩和することができる。これにより、画像形成部へシートを送り出すレジストローラの搬送が安定し、搬送ローラによる画像ムラを防止することができる。
【符号の説明】
【００３３】
１…レーザプリンタ、１Ａ…プリンタ本体、１Ｂ…画像形成部、１１…搬送ローラ、１２…レジストローラ対、３１…レジストローラ軸、３２…レジストローラ、３３ａ，３３ｂ…第１及び第２レジストローラゴム、３２ａ〜３２ｄ…第３〜第６レジストローラゴム、４０…レジストコロ、４０ａ〜４０ｆ…第１〜第６コロ、６２ａ，６２ｂ…第１及び第２レジストローラゴム、６３ａ，６３ｂ…第３及び第４コロ、Ｋ１…第１、第２、第５及び第６レジストコロの外径、Ｋ２…第３及び第４コロ外径、Ｘ１〜Ｘ４…シート搬送方向のニップ幅、Ｙ１…第３〜第６レジストローラゴムの外径、Ｙ２…第１及び第２レジストローラゴムの外径、Ｚ１…第３〜第６レジストローラゴムの硬度、Ｚ２…第１及び第２レジストローラゴムの硬度、Ｓ…シート
【図１】
2010275080.tif 000003
【図２】
2010275080.tif 000004
【図３】
2010275080.tif 000005
【図４】
2010275080.tif 000006
【図５】
2010275080.tif 000007
【図６】
2010275080.tif 000008
【図７】
2010275080.tif 000009
【図８】
2010275080.tif 000010
【図９】
2010275080.tif 000011